(57)【特許請求の範囲】
【請求項１】
撮像領域の光学像を光電変換する撮像素子と、
フォーカス制御を行うフォーカス制御手段と、
画像を表示する表示手段と、
前記撮像素子からの出力を用いて生成された撮像領域画像、及び該撮像領域画像のうち一部の領域を拡大した拡大画像を前記表示手段に表示させる表示制御手段とを有し、
前記表示制御手段は、
前記撮像領域画像上に前記フォーカス制御の合焦目標領域を示す指標を表示させる設定の場合に、該合焦目標領域において前記フォーカス制御により合焦が得られたことに応じて該合焦領域の拡大画像を前記表示手段に表示させる第１のモードと、
前記撮像領域画像上に前記指標を表示させない設定の場合に、前記合焦目標領域において合焦が得られても該合焦領域の拡大画像を前記表示手段に表示させない第２のモードとを有することを特徴とする撮像装置。
【請求項２】
ユーザによる操作が可能な操作手段を有し、
前記表示制御手段は、該操作手段が操作されることに応じて前記第１のモードと前記第２のモードとを切り替えることを特徴とする請求項１に記載の撮像装置。
【請求項３】
前記表示制御手段は、前記フォーカス制御が開始される前に前記拡大画像が前記表示手段に表示されている場合は、該拡大画像の表示を解除した後、前記フォーカス制御によって合焦が得られることに応じて該合焦領域の拡大画像を再表示させることを特徴とする請求項１または２に記載の撮像装置。
【請求項４】
前記撮像領域画像から被写体を検出する被写体検出手段を有し、
前記フォーカス制御手段は、前記合焦目標領域を前記被写体検出手段による検出結果に基づいて決定することを特徴とする請求項１または２に記載の撮像装置。
【請求項５】
前記被写体検出手段により複数の被写体が検出され、該複数の被写体のうち主被写体を含むように前記合焦目標領域が決定された場合において、
前記表示制御手段は、前記撮像領域画像上における前記合焦目標領域と前記複数の被写体のうち前記主被写体以外の被写体を含む領域とを互いに異なる指標によって表示することを特徴とする請求項４に記載の撮像装置。
【請求項６】
撮像領域の光学像を光電変換する撮像素子と、フォーカス制御を行うフォーカス制御手段と、画像を表示する表示手段とを有し、前記撮像素子からの出力を用いて生成された撮像領域画像、及び該撮像領域画像のうち一部の領域を拡大した拡大画像を前記表示手段に表示させる撮像装置の表示制御方法であって、
前記撮像領域画像上に前記フォーカス制御の合焦目標領域を示す指標を表示させる設定の場合に、該合焦目標領域において前記フォーカス制御により合焦が得られたことに応じて該合焦領域の拡大画像を前記表示手段に表示させる第１のステップと、
前記撮像領域画像上に前記指標を表示させない設定の場合に、前記合焦目標領域において合焦が得られても該合焦領域の拡大画像を前記表示手段に表示させない第２のステップとを有することを特徴とする撮像装置の表示制御方法。
【発明の詳細な説明】
【技術分野】
【０００１】
本発明は、撮像領域に対応する画像の一部の領域を拡大して表示する機能を有する撮像装置に関する。
【背景技術】
【０００２】
デジタルカメラ等の撮像装置には、撮像画角や被写体の状況を確認したり、記録された画像を閲覧したりするためのディスプレイが設けられている。
【０００３】
ただし、小型化が進む撮像装置に設けられるディスプレイのサイズには限界があり、また解像度も、撮像により記録される画像の解像度よりもはるかに低いため、ディスプレイ上で被写体の状況を細部まで確認することは困難である。
【０００４】
このため、特許文献１には、シャッタボタンが半押し操作されると、オートフォーカス（ＡＦ）の対象となるフォーカス領域（合焦目標領域）を高解像度で拡大表示する撮像装置が開示されている。
【０００５】
また、特許文献２には、水中撮像であることを検知することに応じて、フォーカス領域を拡大表示する撮像装置が開示されている。
【０００６】
これらの撮像装置によれば、拡大された被写体の詳細な状況や被写体に対する実際のフォーカス状態を容易に確認することができる。
【特許文献１】特開２００３−１７９７９８号公報
【特許文献２】特開２００５−３２８２２５号公報
【発明の開示】
【発明が解決しようとする課題】
【０００７】
しかしながら、撮像装置では、フォーカス領域を自動的に設定する機能を有する場合が多く、この場合、ユーザが意図していない領域が拡大表示されてしまう可能性がある。特に、撮像領域の全体を表示する全体画像にその一部の領域の拡大画像を重畳表示させる場合には、全体画像のどの部分が拡大表示されているのかがわかりにくく、ユーザにとって不便な表示となってしまう。
【０００８】
例えば、図８Ａは全体画像２８を示している。この全体画像２８の中央部に位置する主被写体（人物）の顔にフォーカス領域２８ａが自動的に設定された状態を図８Ｂに示す。ただし、フォーカス領域２８ａを囲む点線枠は、実際には表示されない。そして、フォーカス領域２８ａに含まれる主被写体の顔の拡大画像２８ｂが全体画像２８に重畳表示された様子を図８Ｃに示す。これにより、主被写体の顔が大きくかつ詳細に表示され、その顔にピントが合っているかどうか等をユーザが拡大画像２８ｂを見ながら確認することができる。
【０００９】
これに対し、図８Ｄには、全体画像２８の右側に位置する、主被写体ではない、すなわちユーザがピント合わせを意図していない物体（木）に対してフォーカス領域２８ａが自動的に設定された状態を示す。この状態でも、フォーカス領域２８ａを囲む点線枠は実際には表示されない。そして、この場合は、図８Ｅに示すように木の拡大画像２８ｂが全体画像２８に重畳表示され、全体画像２８のうちどの部分が拡大表示されているのかがわかり難くなる。しかも、拡大画像２８ｂによって、ユーザが確認を希望する主被写体の顔が隠されてしまう。このように、フォーカス領域が撮像装置によって自動的に設定される場合には、ユーザの意図に反した拡大画像が表示されてしまうことがある。
【００１０】
本発明は、拡大される領域を明示でき、画像ユーザの意図を反した拡大画像が表示されてしまう事態を回避できるようにした撮像装置を提供する。
【課題を解決するための手段】
【００１１】
本発明の一側面としての撮像装置は、撮像領域の光学像を光電変換する撮像素子と、フォーカス制御を行うフォーカス制御手段と、画像を表示する表示手段と、撮像素子からの出力を用いて生成された撮像領域画像、及び該撮像領域画像のうち一部の領域を拡大した拡大画像を表示手段に表示させる表示制御手段とを有する。表示制御手段は、撮像領域画像上にフォーカス制御の合焦目標領域を示す指標を表示させる設定の場合に、該合焦目標領域においてフォーカス制御により合焦が得られたことに応じて該合焦領域の拡大画像を表示手段に表示させる第１のモードと、撮像領域画像上に該指標を表示させない設定の場合に、合焦目標領域において合焦が得られても該合焦領域の拡大画像を表示手段に表示させない第２のモードとを有する。
【００１２】
また、本発明の他の一側面としての表示制御方法は、撮像領域の光学像を光電変換する撮像素子と、フォーカス制御を行うフォーカス制御手段と、画像を表示する表示手段とを有し、撮像素子からの出力を用いて生成された撮像領域画像、及び該撮像領域画像のうち一部の領域を拡大した拡大画像を表示手段に表示させる撮像装置に適用される。該表示制御方法は、撮像領域画像上にフォーカス制御の合焦目標領域を示す指標を表示させる設定の場合に、該合焦目標領域においてフォーカス制御により合焦が得られたことに応じて該合焦領域の拡大画像を表示手段に表示させる第１のステップと、撮像領域画像上に指標を表示させない設定の場合に、合焦目標領域において合焦が得られても該合焦領域の拡大画像を表示手段に表示させない第２のステップとを有することを特徴とする。
【発明の効果】
【００１３】
本発明によれば、合焦目標領域を示す指標が表示されず、ユーザが撮像領域画像のうちどの領域が拡大表示されるかを予め認識できない場合には、合焦目標領域において合焦が得られてもその合焦領域の拡大表示は制限される。したがって、例えば指標が表示されないＡＦモードを使用するような場合に、ユーザが意図しない拡大表示が行われることを回避できる。一方、合焦目標領域を示す指標が表示されることで、ユーザが撮像領域画像のうち拡大表示される領域を予め認識できる場合には、合焦目標領域において合焦が得られたことに応じてその合焦領域が拡大表示されるので、主被写体に対するピント状態や主被写体の表情等の確認をユーザの期待通りに行うことができる。
【発明を実施するための最良の形態】
【００１４】
以下、本発明の好ましい実施例について図面を参照しながら説明する。
【００１５】
図１には、本発明の実施例である撮像装置としてのデジタルカメラの構成を示す。
【００１６】
図１において、１００はデジタルカメラ（以下、カメラという）である。カメラ１００において、１０は撮像光学系としての撮像レンズ、１２は絞り機能を備えたシャッタである。１４は光学像（被写体像）を光電変換して電気信号を出力するＣＣＤセンサやＣＭＯＳセンサ等の撮像素子である。１６は撮像素子１４からのアナログ信号出力をデジタル信号に変換するＡ／Ｄ変換器である。
【００１７】
１８はタイミング発生部であり、撮像素子１４、  Ａ／Ｄ変換器１６及びＤ／Ａ変換器２６にクロック信号を供給する。該タイミング発生部１８は、メモリ制御部２２及び後述するシステム制御部５０により制御される。
【００１８】
２０は画像処理部（画像生成手段）であり、Ａ／Ｄ変換器１６又はメモリ制御部２２からのデジタル撮像信号に対して、画素補間処理、色変換処理、ＡＷＢ（オートホワイトバランス）処理等の各種画像処理を行う。これにより、画像データが生成される。
【００１９】
また、画像処理部２０は、生成した画像データを用いて所定の演算処理を行う。システム制御部５０は、その演算結果に基づいて、露光制御部４０、フォーカス制御部４２及びフラッシュ４８を制御する。これにより、ＴＴＬ（スルー・ザ・レンズ）方式のＡＦ（オートフォーカス）処理、ＡＥ（自動露出）処理、ＥＦ（フラッシュプリ発光）処理が行われる。また、画像処理部２０は、生成した画像データを用いて所定の演算処理を行い、その演算結果に基づいて、ＴＴＬ方式のＡＷＢ（オートホワイトバランス）処理を行う。
【００２０】
メモリ制御部２２は、Ａ／Ｄ変換器１６、タイミング発生部１８、画像処理部２０、画像表示メモリ２４、Ｄ／Ａ変換器２６、メモリ３０及び圧縮・伸長部３２を制御する。
【００２１】
画像処理部２０からの画像データ又はＡ／Ｄ変換器１６からのデジタル撮像信号は、メモリ制御部２２を介して画像表示メモリ２４又はメモリ３０に書き込まれる。
【００２２】
２８はＬＣＤ等により構成される画像表示部（表示手段）である。画像表示メモリ２４に書き込まれた表示用画像データ（以下、ＥＶＦ画像という）は、Ｄ／Ａ変換器２６を介して画像表示部２８に送られる。ＥＶＦ画像が画像表示部２８で表示されることにより、電子ファインダ（ＥＶＦ）機能が実現される。
【００２３】
ここで、撮像領域画像としてのＥＶＦ画像は、撮像素子１４の有効撮像面のほぼ全体からの出力に基づいて生成される画像であり、言い換えれば、カメラ１００によって撮像される撮像領域（撮像画角）の全体に対応する画像である。
【００２４】
メモリ３０は、生成された静止画像や動画像を格納する。また、メモリ３０は、システム制御部５０の作業領域としても使用される。
【００２５】
３２は適応離散コサイン変換（ＡＤＣＴ）、ウェーブレット変換等により画像データを圧縮伸長する圧縮・伸長部であり、メモリ３０に格納された画像を読み込んで圧縮処理或いは伸長処理を行い、処理を終えたデータを再びメモリ３０に書き込む。
【００２６】
３４は暗号／復号回路であり、メモリ３０の所定領域に記憶した画像データに対して必要に応じて暗号化処理を行うとともに、暗号化処理を行ってメモリ３０の所定領域に記憶した画像データを再生表示する際に復号化処理を行う。
【００２７】
４０はシャッタ１２を制御する露光制御部であり、フラッシュ４８と連携したフラッシュ調光機能も有する。
【００２８】
４２はフォーカス制御部であり、システム制御部５０とともに撮像レンズ１０のオートフォーカス制御（ＡＦ処理）を行う。ＡＦ処理の詳細については後述する。ＡＦ処理により、合焦目標となる被写体に対する撮像レンズ１０の合焦状態が得られる。
【００２９】
４４は撮像レンズ１０のズーミングを制御するズーム制御部である。
【００３０】
４６はレンズバリア１０２の動作を制御するバリア制御部である。フラッシュ４８は、被写体に対して照明光を照射し、ＡＦ補助光の投光機能や前述したフラッシュ調光機能も有している。
【００３１】
露光制御部４０及びフォーカス制御部４２はＴＴＬ方式を用いて制御されている。すなわち、システム制御部５０は、画像処理部２０において生成された画像データを用いた演算結果に基づいて、露光制御部４０及びフォーカス制御部４２を制御する。システム制御部５０は、フォーカス制御部４２とともに、フォーカス制御手段を構成する。また、システム制御部５０は、露光制御部４０及びフォーカス制御部４２のほか、カメラ１００全体の動作を制御する。
【００３２】
さらに、システム制御部５０は、表示制御手段としても機能し、画像表示部２８でのＥＶＦ画像（撮像領域画像）の表示や、後述する拡大画像の表示を制御する。
【００３３】
５２はシステム制御部５０の動作用の定数、変数、コンピュータプログラム等のデータを記憶するメモリである。
【００３４】
５４は情報表示部であり、文字、画像、音声等を用いてカメラ１００の動作状態やメッセージ等を示す情報を出力する。情報表示部５４は、液晶表示素子やスピーカ等により構成されている。情報表示部５４は、一部の情報を光学ファインダ１０４を介してファインダ画面内に表示する。
【００３５】
５６は電気的に消去・記録可能な不揮発性メモリであり、ＥＥＰＲＯＭ等が用いられる。
【００３６】
６０は電源スイッチ（メインスイッチ）であり、カメラ１００の電源のオン／オフを切り替えるために操作される。
【００３７】
６２は撮像準備スイッチ（ＳＷ１）であり、不図示のシャッタボタンの第１ストローク操作（半押し操作：第１の操作）によりＯＮとなり、測光結果に基づくＡＥ処理や、ＡＦ処理等の撮像準備動作の開始を指示する。シャッタボタンと撮像準備スイッチ（ＳＷ１）６２とにより、第１の操作手段（又は操作手段）が構成される。
【００３８】
６４は撮像記録スイッチ（ＳＷ２）であり、シャッタボタンの第２ストローク操作（全押し操作：第２の操作）によりＯＮとなり、撮像・記録処理を開始させる。ここにいう撮像記・録処理は、シャッタ１２の開閉動作、撮像素子１４からの撮像信号に基づいて画像処理部２０にて画像データを生成する動作、画像データをメモリ制御部２２を介してメモリ３０に書き込む動作を含む。また、メモリ３０から画像データを読み出して、圧縮・伸長部３２で圧縮し、記録媒体１２０に記録する動作も含む。これら一連の撮像・記録処理は、記録用画像の取得処理ということもできる。
【００３９】
６６は画像表示ＯＮ／ＯＦＦスイッチであり、画像表示部２８の点灯（表示）と消灯を設定することができる。
【００４０】
７０は各種ボタンやタッチパネル等を含む操作部であり、カメラ１００の機能選択や各種設定を行うためのメニュー画面を表示させたり、メニュー項目を決定したりするために操作される。
【００４１】
７２はモードダイアルであり、撮像モード（静止画撮像モードや動画撮像モード）、再生モード等の各機能を切り替え設定するために操作される。
【００４２】
７５は縦位置検知センサであり、カメラ１００の姿勢が縦位置か横位置かを検知する。
【００４３】
８０は電源制御部であり、電池残量の検出を行う電池検出部、電池からの電源電圧を所定の動作電圧に変換するＤＣ−ＤＣコンバータ、通電するブロックを切り替えるスイッチ部等を含む。
【００４４】
８６は電池であり、アルカリ電池やリチウム電池等の一次電池やＮｉＭＨ電池、Ｌｉ電池等の二次電池が使用される。８２，８４は電池８６とカメラ１００との電気的接続を行うためのコネクタである。
【００４５】
９０は記録媒体２００との通信を行うためのインタフェースである。９２は記録媒体２００に接続されるコネクタである。記録媒体２００は、半導体メモリ、光ディスク、磁気ディスク等から構成される記録部２０２、該記録部２０２とカメラ１００とのインタフェース２０４、及びカメラ１００との接続を行うためのコネクタ２０６を備えている。記録媒体２００には、カメラ１００から出力される圧縮画像データや音声データが書き込まれる。
【００４６】
１１０，１１４は通信部であり、ＲＳ２３２Ｃ、ＵＳＢ、ＩＥＥＥ１３９４、無線通信等の通信機能を有する。１１２，１１６は通信部１１０，１１４を介してカメラ１００に他の機器を接続するためのコネクタ又は無線通信用のアンテナである。
【００４７】
図２は、本実施例のカメラ１００の全体的な動作を説明するフローチャートである。
【００４８】
電源スイッチ７２が操作されて電源がオフからオンに切り替わると、ステップＳ２０１において、システム制御部５０は、フラグや制御変数等を初期化する。続いて、ステップＳ２０２において、システム制御部５０は、記録媒体２００に記録されているファイルに関する管理処理を開始する。
【００４９】
次に、ステップＳ２０３、Ｓ２０５、Ｓ２０７において、システム制御部５０は、モードダイアル７２の設定位置を判断する。静止画記録モードに設定されていたならば、処理はステップＳ２０３からステップＳ２０４へ進み、システム制御部５０は、静止画記録モード処理を実行する。ステップＳ２０４での静止画記録モード処理の詳細は図３を用いて後述する。
【００５０】
モードダイアル７２が動画記録モードに設定されていたならば、処理はステップＳ２０３、Ｓ２０５を経てステップＳ２０６へ進み、システム制御部５０は、動画記録モード処理を実行する。また、モードダイアル７２が再生モードに設定されていた場合は、処理はステップＳ２０３、Ｓ２０５、Ｓ２０７を経てステップＳ２０８へ進み、システム制御部５０は再生モード処理を実行する。
【００５１】
また、モードダイアル７２が他のモードに設定されていた場合、処理はステップＳ２０９へ進み、システム制御部５０は、設定されたモードに応じた処理を実行する。他のモードとしては、記録媒体２００に格納されたファイルの送信を行う送信モード処理や、外部機器からファイルを受信して記録媒体２００に格納する受信モード処理等が含まれる。
【００５２】
ステップＳ２０４、Ｓ２０６、Ｓ２０８、Ｓ２０９においてモードダイアル７２によって設定されたモードに対応した処理が実行された後、処理はステップＳ２１０へ進む。ステップＳ２１０において、システム制御部５０は、電源スイッチ７２の設定位置を判断する。電源スイッチ７２がオンに設定されていれば、ステップＳ２０３に処理を戻す。一方、電源スイッチ７２がオフに設定されていたならば、処理はステップＳ２１０からステップＳ２１１へと進み、システム制御部５０は終了処理を行う。
【００５３】
終了処理には、例えば以下の処理が含まれる。画像表示部２８の表示を終了状態に変更してレンズバリア１０２を閉じることで撮像レンズ１０を保護する処理である。また、フラグや制御変数等を含むパラメータや設定値、設定モードを不揮発性メモリ５６に記録した後、電源供給が不要な部分への電源を遮断する処理である。
【００５４】
ステップＳ２１１での終了処理が完了すると、システム制御部５０は本処理を終了し、電源をオフ状態に移行させる。
【００５５】
図３は、図２のステップＳ２０４における静止画記録モード処理を示すフローチャートである。なお、図３に示される静止画記録モード処理は、モードダイアル７２により他のモードへの切り替えが行われた場合や電源スイッチ７２がオフにセットされた場合に終了する。
【００５６】
システム制御部５０は、静止画記録モードを開始すると、ステップＳ３０１において撮像モードを確定する。撮像モードには、撮像モードとしては、各種撮像パラメータが自動的に設定されるオートモード、該パラメータをユーザが手動で設定するマニュアルモード、各種シーンに適した撮像パラメータが設定されるシーン別モード等がある。
【００５７】
ステップＳ３０１において撮像モードが確定すると、ステップＳ３０２において、システム制御部５０は、撮像素子１４を用いて生成された画像データを画像表示部２８に表示するスルー表示（ライブビュー表示ともいう）を行う。この時点では、全体画像としてのＥＶＦ画像（撮像領域画像）が画像表示部２８の画面全体に表示される。
【００５８】
続いて、ステップＳ３０３において、システム制御部５０は，電源制御部８０を用いて電池等により構成される残容量や、記録媒体２００の有無及び残容量がカメラ１００の動作に問題があるか否かを判定する。問題があるならば、ステップＳ３０４において、システム制御部５０は、画像表示部２８を用いて画像や音声により所定の警告表示を行い、処理をステップＳ３０１に戻す。
【００５９】
電源部３０や記録媒体２００の状態に問題が無いならば、ステップ３０５において、システム制御部５０は、必要に応じてフォーカスに関連する設定を更新する。このフォーカス関連設定は、操作部７０に含まれるメニューボタンを操作することで画像表示部２８に表示されるメニュー画面（不図示）や、操作部７０に含まれるＡＦ枠設定用の操作部材を操作することでユーザが任意に行うことができる。フォーカス関連設定としては、マクロ／遠景／ＭＦ（マニュアルフォーカス）の切り替え、ＭＦ拡大表示のＯＮ／ＯＦＦ、及びＡＦ枠設定等がある。
【００６０】
ＭＦ拡大表示は、マニュアルフォーカス時のユーザによる焦点調整を容易にするため、画像表示部２８を用いてスルー表示に重畳して、その一部の領域の拡大表示を行う機能である。ＡＦ枠設定では、ＡＦ時の合焦目標領域を示す指標であるＡＦ枠の位置を設定することが可能である。
【００６１】
ＡＦ枠設定には、画面の中央の１つの枠をＡＦ枠とする「中央モード」、ＡＦ枠を操作部７０に含まれる操作部材によってユーザが任意の位置に移動可能な「アクティブモード」、９つのＡＦ枠を設定して合焦動作を行う「ＡｉＡＦモード」がある。また、ＥＶＦ画像から検出した顔位置に応じてＡＦ枠を設定する「顔優先モード」もある。
【００６２】
さらに、操作手段としての操作部７０及びメニュー画面を通じたピント拡大表示のＯＮ／ＯＦＦ設定もこのステップで行う。ピント拡大表示は、ＡＦ処理の終了後に、ＥＶＦ画像のうち該ＡＦ処理によって合焦状態が得られたＡＦ枠内の領域（一部の領域）を拡大して得られる拡大画像を、画像表示部２８に表示させる機能である。拡大画像を見ることで、ユーザは該ＡＦ枠内の合焦状態の確認を行うことができる。合焦状態の確認を行わない場合には、ピント拡大表示をオフにすることで（第３のモード）、ＥＶＦ画像の見易さを優先することも可能である。
【００６３】
ステップＳ３０６では、システム制御部５０は、ＡＦ枠設定が「顔優先モード」であるか否かを判断し、「顔優先モード」でなければＳ３０８に進む。ＡＦ枠設定が「顔優先モード」である場合はステップＳ３０７に進む。
【００６４】
ステップＳ３０７において、システム制御部５０は、スルー表示される画像信号（ＥＶＦ画像）中に人の顔（被写体）が存在するか否かを検知する顔検出を行う。システム制御部５０は、被写体検出手段として機能する。この顔検出処理については図４を用いて後述する。
【００６５】
システム制御部５０は、顔検出処理において顔が検出されると、ＥＶＦ画像中での顔の位置座標、サイズ（幅、高さ）、検出個数、信頼性係数等を顔情報としてシステムメモリ５２に記憶する。なお、顔検出処理において顔が検出されなかった場合は、システムメモリ５２内の位置座標、サイズ（幅、高さ）、検出個数、信頼性係数等の領域に０を設定する。
【００６６】
ステップＳ３０８において、システム制御部５０は、ステップＳ３０５におけるフォーカス関連設定に応じて画像表示部２８の表示を更新する。この表示更新処理については図６を用いて後述する。
【００６７】
続いてステップＳ３０９において、システム制御部５０は、第１シャッタスイッチ信号ＳＷ１がＯＮしているか否かを判定する。第１シャッタスイッチ信号ＳＷ１がＯＦＦの場合は、処理はステップＳ３０５に戻り、上記ステップＳ３０５〜Ｓ３０８を繰り返す。一方、第１シャッタスイッチ信号ＳＷ１がＯＮの場合は、ステップＳ３１０に進む。
【００６８】
ステップＳ３１０において、システム制御部５０は、画像表示部２８にて拡大表示を行っている場合は、該拡大表示を解除（ＯＦＦ）する。画像表示部２８に拡大表示を行っていない場合はここでは特に処理を行わない。
【００６９】
拡大表示を解除するのは、ステップＳ３１２でのＡＦ処理において、撮像素子１４の駆動モードが拡大表示に適さないモードに切り替わる可能性があるためである。ＡＦ処理中は撮像素子１４の駆動モードをＡＦに適したものに切り替えるが、ＡＦに適したモードと拡大表示に適したモードとが異なる場合があるため、予め拡大表示を解除しておく。この後、拡大されていたＡＦ枠において合焦が得られれば、その合焦領域の拡大画像が再表示されることになる。本ステップでの処理を終えると、ステップＳ３１１に進む。
【００７０】
ステップＳ３１１において、システム制御部５０は、測光処理を行って絞り値及びシャッタ時間（シャッタスピード）を決定する。測光処理において、必要であればフラッシュ４８の設定も行われる。このとき、ステップＳ３０７において顔が検出されていれば、検出した顔を含む領域で測光を行うようにすることも可能である。測光処理を終えると、ステップＳ３１２に進む。
【００７１】
ステップＳ３１２において、システム制御部５０は、ＡＦ処理を行って撮像レンズ１０３の焦点を被写体に合わせる。３１３に進む。前述したように測距処理を開始する前に、必要に応じて撮像素子１４の駆動モードをＡＦ処理に適したものに切り替えてからＡＦ処理を行い、ＡＦ終了後に撮像素子１４の駆動モードを拡大表示に適したモードに切り替える。そして、ステップＳ３１３に進む。
【００７２】
次に、ステップＳ３１３では、システム制御部５０は、ステップＳ３１２でのＡＦ処理の結果に応じて、画像表示部２８に対する合焦表示処理を行う。この合焦表示処理については図７を用いて後述する。
【００７３】
次に、ステップＳ３１４、Ｓ３１５では、システム制御部５０は、第１シャッタースイッチ信号ＳＷ１と第２シャッタースイッチ信号ＳＷ２のＯＮ／ＯＦＦ状態を判定する。第１シャッタースイッチ信号ＳＷ１がＯＮで第２シャッタースイッチ信号ＳＷ２がＯＦＦの間は、ステップＳ３１４、Ｓ３１５の処理が繰り返される。第１シャッタースイッチ信号ＳＷ１がＯＮで第２シャッタースイッチ信号ＳＷ２もＯＮである場合は、処理はステップＳ３１４からステップＳ３１６へ進む。第１シャッタースイッチ信号ＳＷ１がＯＦＦになると、処理はステップＳ３１４からステップＳ３０５へ戻る。
【００７４】
ステップＳ３１６において、システム制御部５０は、画像表示部２８の表示状態をスルー表示から固定色表示状態に設定する。そして、ステップＳ３１７において、システム制御部５０は、露光処理や現像処理を含む撮像処理を実行する。この撮像処理の詳細については図５を用いて後述する。
【００７５】
次に、ステップＳ３１８において、システム制御部５０は、画像表示部２８に対して撮像処理で得られた画像データのクイックレビュー表示（レックビュー表示ともいう）を行う。クイックレビュー表示とは、記録される画像をユーザが確認するために、撮像処理後の記録用画像を、記録媒体２００への記録前に、予め決められた時間（レビュー時間）だけ画像表示部２８に表示する処理である。
【００７６】
クイックレビュー表示後、ステップＳ３１９において、システム制御部５０は、撮像処理で得られた画像データを画像ファイルとして記録媒体２００に対して書き込む記録処理を実行する。また、記録媒体２００に記録する他に、撮像処理で得られた画像データを通信部１１０，１１４を通じてサーバ等の外部装置に転送してもよい。
【００７７】
ステップＳ３１９の記録処理が終了すると、ステップＳ３２０において、システム制御部５０は、第２シャッタスイッチ信号ＳＷ２のＯＮ／ＯＦＦ状態を判定する。第２シャッタスイッチ信号ＳＷ２がＯＮの場合は、ステップＳ３２０の判定を繰り返し、第２シャッタスイッチ信号ＳＷ２がＯＦＦになるのを待つ。この間、上記クイックレビュー表示を継続させる。すなわち、ステップＳ３１９の記録処理が終了した際に、第２シャッタスイッチ信号ＳＷ２がＯＦＦされるまで画像表示部２８におけるクイックレビュー表示を継続させる。このようにすることにより、ユーザは、シャッタボタンの全押し状態を継続することで、クイックレビュー表示を用いた記録用画像の確認を入念に行うことが可能となる。
【００７８】
ユーザがシャッタボタンを全押し状態にして撮像を行った後、シャッタボタンから手を放す等して全押し状態が解除されると、処理はステップＳ３２０からステップＳ３２１へ進む。
【００７９】
ステップＳ３２１において、システム制御部５０は、予め定められたレビュー時間が経過したか否かを判断し、レビュー時間が経過していればステップＳ３２２に進む。ステップＳ３２２において、システム制御部５０は、画像表示部２８の表示状態をクイックレビュー表示からスルー表示状態に戻す。この処理により、クイックレビュー表示によって記録用画像を確認した後、画像表示部２８の表示状態は、次の撮像のために撮像素子２２からの画像データを逐次表示するスルー表示状態に自動的に切り替わる。
【００８０】
そして、ステップＳ３２３において、システム制御部５０は、第１シャッタスイッチ信号ＳＷ１のＯＮ／ＯＦＦを判定し、第１シャッタスイッチ信号ＳＷ１がＯＮの場合はステップＳ３１４へ、ＯＦＦの場合はステップＳ３０５へ処理を戻す。すなわち、シャッタボタンの半押し状態が継続している（第１シャッタスイッチ信号ＳＷ１がＯＮである）場合は、システム制御部５０は次の撮像に備える（ステップＳ３１４）。一方、シャッタボタンが放された状態（第１シャッタスイッチ信号ＳＷ１がＯＦＦ）である場合は、システム制御部５０は、一連の撮像動作を終えて撮像待機状態（ステップＳ３０５）に戻る。
【００８１】
次に、図３のステップＳ３０７で行われる顔検出処理の一例を、図４を用いて説明する。ステップＳ４０１において、システム制御部５０は顔検出対象の画像データ（ＥＶＦ画像）を画像処理部２０に送る。ステップＳ４０２において、システム制御部５０の制御下で画像処理部２０は、該画像データに水平方向バンドパスフィルタを作用させる。また、ステップＳ４０３において、システム制御部５０の制御下で画像処理部２０は、ステップＳ４０２で処理された画像データに垂直方向バンドパスフィルタを作用させる。これら水平及び垂直方向のバンドパスフィルタにより、画像データよりエッジ成分が検出される。
【００８２】
その後、ステップＳ４０４において、システム制御部５０は、検出されたエッジ成分に関してパターンマッチングを行い、目及び鼻、口、耳の候補群を抽出する。そして、ステップＳ４０５において、システム制御部５０は、ステップＳ４０４で抽出された目の候補群の中から、予め設定された条件（例えば２つの目の距離、傾き等）を満たすものを、目の対と判断し、目の対があるもののみ目の候補群として絞り込む。そして、ステップＳ４０６において、システム制御部５０は、ステップＳ４０５で絞り込まれた目の候補群とそれに対応する顔を形成する他のパーツ（鼻、口、耳）を対応付け、また、予め設定した非顔条件フィルタを通すことで、顔を検出する。
【００８３】
ステップＳ４０７において、システム制御部５０は、ステップＳ４０６による顔の検出結果に応じて上記顔情報を出力し、処理を終了する。このとき、顔の数等の特徴量を画像メモリ５２に記憶する。また、複数の顔が検出された場合は順位付けを行うことで、最も主被写体と推定される顔（主顔）を特定する。
【００８４】
以上のようにスルー表示で表示される画像データを用いて、画像データの特徴量を抽出することで被写体情報を検出することが可能である。本実施例では、被写体情報として顔情報を例に挙げたが、被写体情報には他にも赤目判定等の様々な情報がある。
【００８５】
図５は、図３のステップＳ３１７で行われる撮像処理を示すフローチャートである。
【００８６】
ステップＳ５０１において、システム制御部５０は、撮像開始時にその日時をシステムタイマより取得し、システムメモリ５２に記憶する。続いて、ステップＳ５０２において、システムメモリ５２に記憶されている測光データに従い、絞り機能を有するシャッタ１０１を絞り値に応じて開放する。こうして、露光が開始される（ステップＳ５０３）。
【００８７】
ステップＳ５０４において、システム制御部５０は、測光データに従って撮像素子１４の露光終了を待つ。露光終了時刻に到達すると、ステップＳ５０５において、システム制御部５０はシャッタ１０１を閉じる。
【００８８】
そして、ステップＳ５０６において、撮像素子１４から電荷信号を読み出し、Ａ／Ｄ変換器１６、画像処理部２０、メモリ制御部２２を介して、或いはＡ／Ｄ変換器２３から直接メモリ制御部２２を介して、メモリ３０に画像データを書き込む。以上のステップＳ５０１〜Ｓ５０６が露光処理に相当する。
【００８９】
続いて、ステップＳ５０７において、システム制御部５０は、メモリ制御部２２そして必要に応じて画像処理部２０を用いて、メモリ３０に書き込まれた画像データを読み出して画像処理を順次施す。この画像処理は、例えば、ホワイトバランス処理や、圧縮／伸張部３２を用いた圧縮処理等が含まれる。処理を終えた画像データはメモリ３０に書き込まれる。
【００９０】
そして、ステップＳ５０８において、システム制御部５０は、メモリ３０から画像データを読み出し、これを圧縮／伸張部３２を用いて伸張し、画像表示部２８の表示用にリサイズする。そして、リサイズされた画像データを画像表示部２８に表示するべくＤ／Ａ変換器１３に転送する。一連の処理を終えたならば、撮像処理を終了する。
【００９１】
図６は、図３のステップＳ３０８におけるフォーカス関連設定に応じた表示更新処理を示すフローチャートである。
【００９２】
システム制御部５０はフォーカス関連設定を参照し、マニュアルフォーカスモードであるか否かを判断する（ステップＳ６０１）。マニュアルフォーカスモードであった場合はステップＳ６０２に、マニュアルフォーカスモードでなかった場合はステップＳ６１１に進む。
【００９３】
ステップＳ６０２では、システム制御部５０は、ＡＦ枠設定が「中央モード」（第１のモード）であるか否かを判断し、「中央モード」であればステップＳ６０３に進む。ＡＦ枠設定が「中央モード」である場合は、ＡＦ処理時のＡＦ枠が中央の１枠に設定される。
【００９４】
次にステップＳ６０３において、システム制御部５０は、画像表示部２８に、スルー表示に重畳させてその中央に１枠のＡＦ枠を表示させる。このときの表示例を図９Ａに示す。画像表示部２８において、ＥＶＦ画像の中央にＡＦ枠２８ｃが重畳表示されている。表示を終えたらフォーカス関連設定に応じた表示更新処理を終了する。
【００９５】
また、ステップＳ６０２においてＡＦ枠設定が「中央モード」でない場合は、システム制御部５０は、ステップＳ６０４にてＡＦ枠設定が「アクティブモード」（第１のモード）であるか否かを判断する。「アクティブモード」（アクティブＡＦ）であればステップＳ６０５に進む。
【００９６】
ステップＳ６０５では、システム制御部５０は、ＡＦ処理時のＡＦ枠をユーザが指定した位置の１枠（以下、アクティブＡＦ枠という）に設定する。ＡＦ枠の位置は、操作部７０に含まれるアクティブＡＦ枠移動用の操作部材（図示せず）を操作することでユーザが任意に設定可能である。
【００９７】
また、ステップＳ６０５において、システム制御部５０は、画像表示部２８に、スルー表示（ＥＶＦ画像）に重畳させてアクティブＡＦ枠を表示させる。このときの表示例を図９Ｂに示す。画像表示部２８において、ＥＶＦ画像にアクティブＡＦ枠２８ｄが重畳表示されている。表示を終えたらフォーカス関連設定に応じた表示更新処理を終了する。
【００９８】
ステップＳ６０４においてＡＦ枠設定が「アクティブモード」でない場合は、システム制御部５０は、ステップＳ６０６にてＡＦ枠設定が「顔優先モード」（第１のモード）であるか否かを判断する。「顔優先モード」であればステップＳ６０７に進む。
【００９９】
ＡＦ枠設定が「顔優先モード」である場合は、ＡＦ処理時のＡＦ枠が顔検出処理Ｓ３０６において検出された顔領域に設定される。なお、顔検出処理Ｓ３０７において複数の顔が検出された場合は、主顔の領域に合わせてＡＦ枠を設定する。
【０１００】
ステップＳ６０７において、システム制御部５０は、画像表示部２８に、スルー表示（ＥＶＦ画像）に重畳させて、顔領域に対応する顔枠を表示する。なお、顔検出処理Ｓ３０７において複数の顔が検出された場合は複数の顔枠を表示するが、主顔枠の色や形状を他の被写体の顔枠と異ならせる等して、主顔枠を識別可能な状態で表示する。このときの表示例を図９Ｃに示す。主顔枠２８ｅと主顔枠以外（主被写体以外）の顔枠２８ｆとが互いに異なる形状（太さ）や色を有するように表示されている。表示を終えたらフォーカス関連設定に応じた表示更新処理を終了する。
【０１０１】
ステップＳ６０６においてＡＦ枠設定が「顔優先モード」でない場合は、システム制御部５０は、ステップＳ６０８にてＡＦ枠設定が「ＡｉＡＦモード」（第２のモード）であるか否かを判断する。「ＡｉＡＦモード」であればステップＳ６０９に進む。
【０１０２】
ＡＦ枠設定が「ＡｉＡＦモード」である場合は、システム制御部５０は、ＡＦ処理時のＡＦ枠を９つ設定する。ただし、「ＡｉＡＦモード」では、多くのＡＦ枠を表示させるとＥＶＦ画像の観察に邪魔となるため、該ＡＦ枠を表示しない。９つのＡＦ枠の中でどれが合焦枠となるかは、ＡＦ処理によってシステム制御部５０が自動的に判断することになるため、ＡＦ処理前にユーザが合焦枠の位置を認識することはできない。
【０１０３】
ステップＳ６０９において、システム制御部５０は、画像表示部２８においてスルー表示（ＥＶＦ画像）に重畳させて表示していたＡＦ枠及び顔枠の表示を中止（解除）する。ここで表示を中止するＡＦ枠は、ステップＳ６０３で表示する中央の１枠と、ステップＳ６０５で表示するアクティブＡＦ枠と、ステップＳ６０７で表示する顔枠等である。処理を終えたらフォーカス関連設定に応じた表示更新処理を終了する。
【０１０４】
ステップＳ６０８において、ＡＦ枠設定が「ＡｉＡＦモード」でない場合は、システム制御部５０は、ステップＳ６１０において、設定されているＡＦ枠に応じた枠表示を行い、フォーカス関連設定に応じた表示更新処理を終了する。
【０１０５】
ステップＳ６０１においてマニュアルフォーカスモードであると判断された場合は、システム制御部５０は、ステップＳ６１１にてＭＦ拡大表示が有効になっているか否かを判断する。ＭＦ拡大表示が無効になっている場合は、システム制御部５０は、ステップＳ６１２にてＭＦ枠の１枠をスルー表示（ＥＶＦ画像）上に表示する。ここで、ＭＦ枠は、ＭＦ拡大表示時に拡大される領域であり、アクティブＡＦ時のアクティブＡＦ枠、及びアクティブＡＦ時以外の中央１枠と一致する。表示を終えたらフォーカス関連設定に応じた表示更新処理を終了する。
【０１０６】
一方、ステップＳ６１１でＭＦ拡大表示が有効であれば、システム制御部５０は、ステップＳ６１３にて画像表示部２８にＭＦ枠の拡大表示をスルー表示（ＥＶＦ画像）に重畳させて表示させる。表示を終えたらフォーカス関連設定に応じた表示更新処理を終了する。
【０１０７】
図７は、図３のステップＳ３１３にて行われる合焦表示処理を示すフローチャートである。
【０１０８】
ステップＳ７０１において、システム制御部５０は、ピント拡大表示が有効になっているか否かを判断し、有効であればステップＳ７０２に進む。ピント拡大表示のＯＮ／ＯＦＦ設定はステップＳ３０５にて行われる。
【０１０９】
ステップＳ７０２では、システム制御部５０は、ステップＳ３１２でのＡＦ処理の結果を参照し、結果が合焦であればステップＳ７０３へ、非合焦であればステップＳ７０４に進む。
【０１１０】
ステップＳ７０３において、システム制御部５０は、画像表示部２８に、合焦枠を表示させる。合焦枠は、緑色等の枠として表示される。ＡＦ枠が複数設定されている場合（ＡｉＡＦモード等）は、焦点深度内のＡＦ枠をすべて合焦枠として表示する。処理を終えたら合焦表示処理を終了する。
【０１１１】
ステップＳ７０１においてＡＦ結果が非合焦であった場合は、システム制御部５０は、ステップＳ７０４にて画像表示部２８に非合焦表示を行わせる。非合焦表示は、ＡＦ枠を黄色等で表示することで行う。ＡＦ枠が複数設定されている場合（ＡｉＡＦモード等）では枠表示を行わないことで非合焦表示とする。処理を終えたら合焦表示処理を終了する。
【０１１２】
ステップＳ７０１においてピント拡大表示が有効になっている場合は、システム制御部５０は、ステップＳ７０５にてマニュアルフォーカスモードであるか否かを判断する。マニュアルフォーカスモードでない場合は、ステップＳ７０６にてＡＦ処理の結果を参照して、結果が非合焦であればステップＳ７０７に、合焦であればステップＳ７０８に進む。
【０１１３】
ステップＳ７０７において、システム制御部５０は、画像表示部２８に、非合焦表示を行わせる。ここでも、非合焦表示は、ＡＦ枠を黄色等で表示することで行う。ＡＦ枠が複数設定されている場合（ＡｉＡＦモード等）は枠表示を行わないことで非合焦表示とする。処理を終えたら合焦表示処理を終了する。
【０１１４】
ステップＳ７０６においてＡＦ処理の結果が合焦であった場合は、システム制御部５０は、ステップＳ７０８にてＡＦ枠設定を参照し、ＡＦ枠設定が「中央モード」（第１のモード）であればステップＳ７０９に進む。
【０１１５】
ステップＳ７０９において、システム制御部５０は、画像表示部２８を用いて中央１枠のＡＦ枠内の合焦領域を拡大し、拡大画像を表示する。該拡大画像は、スルー表示（ＥＶＦ画像）に重畳されて表示される。このときの表示例を図１０Ａに示す。画像表示部２８（ＥＶＦ画像）の中央に、図９Ａに示したＡＦ枠２８ｃ枠内の合焦領域の拡大画像２８ｂが重畳表示されている。ＡＦ枠設定が「中央モード」である場合は、ステップＳ６０３においてＡＦ枠（１枠）を表示しているため、ユーザがピント拡大表示処理によって拡大される領域を認識できる。したがって、ステップＳ７０９で拡大表示を行ってもユーザは戸惑うことなく合焦状態の確認を行うことができる。処理を終えたら合焦表示処理を終了する。
【０１１６】
ステップＳ７０８においてＡＦ枠設定が「中央モード」でない場合は、システム制御部５０は、ステップＳ７１０にてＡＦ枠設定が「アクティブモード」（第１のモード）であるか否かを判断する。ＡＦ枠設定が「アクティブモード」であれば、システム制御部５０は、画像表示部２８（ＥＶＦ画像）にアクティブＡＦ枠内の合焦領域の拡大画像を重畳させて表示させる。このときの表示例を図１０Ｂに示す。画像表示部２８に表示されたＥＶＦ画像上に、図９Ｂに示したアクティブＡＦ枠２８ｄ内の合焦領域の拡大画像２８ｂが重畳表示されている。
【０１１７】
図の例では、アクティブＡＦ枠が画面左側に位置しているため、拡大画像も画面中央よりも左側に表示されている。
【０１１８】
ＡＦ枠設定が「アクティブモード」である場合は、ＡＦ処理におけるＡＦ枠がアクティブＡＦ枠に設定される。ステップＳ６０５においてはアクティブＡＦ枠（１枠）を表示しているため、ユーザがピント拡大表示処理によって拡大される領域を認識できる。したがって、ステップＳ７１１で拡大表示を行ってもユーザは戸惑うことなく合焦状態の確認を行うことができる。処理を終えたら合焦表示処理を終了する。
【０１１９】
ステップＳ７１０にてＡＦ枠設定が「アクティブモード」でない場合は、システム制御部５０は、ステップＳ７１２にてＡＦ枠設定が「顔優先モード」（第１のモード）であるか否かを判断する。ＡＦ枠設定が「顔優先モード」であれば、システム制御部５０は、ステップＳ７１３にて、画像表示部２８に、顔検出処理によって検出された主顔に対応する主顔枠内の合焦領域を拡大表示させる。このときの拡大表示も、スルー表示に重畳して表示される。表示例を図１０Ｃに示す。画像表示部２８（ＥＶＦ画像）に、主顔枠（図９Ｃの２８ｅ）内の合焦領域の拡大画像２８ｂを重畳表示する。
【０１２０】
ＡＦ枠設定が「顔優先モード」である場合は、ＡＦ処理におけるＡＦ枠が主顔枠に相当するように設定され、ステップＳ６０７においては主顔枠を表示している。このため、ユーザがピント拡大表示処理によって拡大される領域を認識できる。複数の顔が検出されている場合でも、ステップＳ６０７にて説明したように主顔の枠を主顔以外の顔枠と区別して表示しているため、ユーザがピント拡大表示処理によって拡大される領域を認識できる。
【０１２１】
逆に、ステップＳ６０７において主顔と主顔以外の顔枠を区別することなく表示する場合には、複数表示される顔枠のうちどれが拡大表示されるかをユーザは判断することができない。したがって、この場合は、ステップＳ７１３において合焦枠の拡大表示は行わず、ＡＦ枠を緑枠として表示する等、ステップＳ７０３と同様の合焦枠表示を行う。処理を終えたら合焦表示処理を終了する。
【０１２２】
ステップＳ７１２においてＡＦ枠設定が「顔優先モード」ではない場合は、システム制御部５０は、ステップＳ７１４にてＡＦ枠設定が「ＡｉＡＦモード」（第２のモード）であるか否かを判断する。ＡＦ枠設定が「ＡｉＡＦモード」であれば、システム制御部５０は、画像表示部２８に、ＡＦ処理において設定した複数のＡＦ枠のうち焦点深度内のＡＦ枠をすべて合焦表示する。このときの合焦表示は、ＡＦ枠を緑色で表示する等、ステップＳＳ０３と同様の合焦表示を行い、拡大表示は行わない。
【０１２３】
ＡＦ枠設定が「ＡｉＡＦモード」である場合は、ＡＦ処理において設定された複数のＡＦ枠のうち、どれが焦点深度内と判断されるかをユーザは判断できない。しかも、ステップＳ６０９において枠表示も行われないため、ユーザがピント拡大表示処理によって拡大される領域を認識できない。したがって、この場合には、拡大表示を行わない。処理を終えたら合焦表示処理を終了する。
【０１２４】
ステップＳ７１４においてＡＦ枠設定が「ＡｉＡＦモード」でない場合は、システム制御部５０は、ステップＳ７１６にて、ステップＳ６１０での表示処理に応じて拡大表示或いは合焦枠表示を行う。
【０１２５】
ステップＳ６１０の表示処理において拡大画像が表示される領域を示す枠がスルー表示に重畳表示されており、ユーザが該拡大領域を認識できる場合には、ステップＳ７１６にて該当領域を拡大表示する。逆に、ステップＳ３２５において拡大表示される領域を示す枠がスルー表示に重畳表示されていない場合や、複数の区別のできない枠が表示され、そのうちどの枠が拡大表示されるかユーザが識別できない場合には、例えば合焦枠を緑色の枠として表示する。このようにステップＳ７０３と同様の合焦枠表示を行う。そして、処理を終えたら合焦表示処理を終了する。
【０１２６】
ステップＳ７０５においてマニュアルフォーカスモードが設定されている場合は、システム制御部５０は、ステップＳ７１７において、画像表示部２８に、スルー表示（ＥＶＦ画像）に重畳させてＭＦ枠の拡大画像を表示させる。
【０１２７】
マニュアルフォーカスモードの場合の表示は、ステップＳ６１２でＭＦ枠が表示されるか、或いはステップＳ６１３でＭＦ枠の拡大表示が行われるかのいずれかである。ステップＳ６１２でＭＦ枠が表示されている場合は、拡大される領域の枠が重畳表示されているのでユーザは拡大される領域を認識できる。また、ステップＳ６１３でＭＦ枠の拡大表示を行っている場合も、ユーザはその拡大表示を利用してフォーカスを調節しているので、拡大される領域を認識していると考えられる。したがって、マニュアルフォーカス時であれば、ユーザは拡大される領域を認識していると考えることができ、ステップＳ７１７で拡大表示を行う。処理を終えたら合焦表示処理を終了する。
【０１２８】
以上説明したように、本実施例のカメラは、撮像領域画像上にフォーカス制御の合焦目標領域を示す指標（ＡＦ枠）を表示させ、該合焦目標領域においてフォーカス制御により合焦が得られたことに応じて該合焦領域の拡大画像を表示させる第１のモードを有する。また、本実施例のカメラは、撮像領域画像上に指標（ＡＦ枠）を表示させず、合焦目標領域において合焦が得られても該合焦領域の拡大画像を表示させない第２のモードを有する。これにより、指標が表示されないモードでは、ユーザが意図しない拡大表示が行われることを回避できる。一方、指標が表示されるモードでは、ユーザが撮像領域画像のうち拡大表示される領域を予め認識できるので、拡大された被写体に対するピント状態や該被写体の表情等の確認をユーザの期待通りに行うことができる。
【０１２９】
本実施例ではＡＦ枠内の合焦領域を拡大表示する場合の処理について述べたが、拡大表示する領域として合焦枠だけでなく、測光枠やホワイトバランス枠、その他の領域を用いてもよい。
【０１３０】
以上説明した実施例は代表的な例にすぎず、本発明の実施に際しては、実施例に対して種々の変形や変更が可能である。
【図面の簡単な説明】
【０１３１】
【図１】本発明の実施例であるデジタルカメラの構成を示すブロック。
【図２】実施例のカメラにおけるモード遷移処理を示すフローチャート。
【図３】実施例のカメラにおける静止画記録モードでの処理を示すフローチャート。
【図４】実施例のカメラにおける顔検出処理を示すフローチャート。
【図５】実施例のカメラにおける撮像処理を示すフローチャート。
【図６】実施例のカメラにおけるフォーカス関連設定に応じた表示更新処理を示すフローチャート。
【図７】実施例のカメラにおける合焦表示処理を示すフローチャート。
【図８Ａ】ＥＶＦ画像の例を示す図。
【図８Ｂ】ＥＶＦ画像の中央にＡＦ枠が設定された状態を示す図。
【図８Ｃ】図８Ｂ中のＡＦ枠内の合焦領域が拡大された状態を示す図。
【図８Ｄ】ＥＶＦ画像の右側にＡＦ枠が設定された状態を示す図。
【図８Ｅ】図８Ｄ中のＡＦ枠内の合焦領域が拡大された状態を示す図。
【図９Ａ】ＥＶＦ画像の中央にＡＦ枠が表示された状態を示す図。
【図９Ｂ】ＥＶＦ画像中にアクティブＡＦ枠が表示された状態を示す図。
【図９Ｃ】ＥＶＦ画像中に顔枠が表示された状態を示す図。
【図１０Ａ】ＥＶＦ画像に拡大画像が表示された状態を示す図。
【図１０Ｂ】ＥＶＦ画像に拡大画像が表示された状態を示す図。
【図１０Ｃ】ＥＶＦ画像に拡大画像が表示された状態を示す図。
【符号の説明】
【０１３２】
１０  撮像レンズ
１４  撮像素子
２０  画像処理回路
２８  画像表示部
４２  フォーカス制御部
５０  システム制御回路
７０  操作部
２８ａ  ＡＦ枠（非表示）
２８ｂ  拡大画像
２８ｃ  ＡＦ枠（中央１枠）
２８ｄ  アクティブＡＦ枠
２８ｅ  主顔枠
２８ｆ  顔枠
【図１】
0005116494.tif 000002
【図２】
0005116494.tif 000003
【図３】
0005116494.tif 000004
【図４】
0005116494.tif 000005
【図５】
0005116494.tif 000006
【図６】
0005116494.tif 000007
【図７】
0005116494.tif 000008
【図８Ａ】
0005116494.tif 000009
【図８Ｂ】
0005116494.tif 000010
【図８Ｃ】
0005116494.tif 000011
【図８Ｄ】
0005116494.tif 000012
【図８Ｅ】
0005116494.tif 000013
【図９Ａ】
0005116494.tif 000014
【図９Ｂ】
0005116494.tif 000015
【図９Ｃ】
0005116494.tif 000016
【図１０Ａ】
0005116494.tif 000017
【図１０Ｂ】
0005116494.tif 000018
【図１０Ｃ】
0005116494.tif 000019